(57)【要約】【課題】よりコストを抑えることが可能な照明具を提供すること。【解決手段】外部からの電力が供給される端部２と、複数電気的に接続して配列されたＬＥＤを有し、前記端部から電力が供給されるＬＥＤモジュール５を備え、ＬＥＤモジュール５は複数配置されており、端部２に固定され、複数のＬＥＤモジュール５を着脱可能に固定する基台４を備え、ＬＥＤモジュール５は、端部２から一方向に並んで配置されており、人感知センサ、温度センサ、湿度センサ、及び照度センサの少なくとも１つのセンサを有するセンサモジュール６を更に備え、センサモジュール６は、基台４に着脱可能である、照明具である。【選択図】図１
2012256510.tif 000002
【特許請求の範囲】
【請求項１】
外部からの電力が供給される端部と、
複数電気的に接続して配列されたＬＥＤを有し、前記端部から電力が供給されるＬＥＤモジュールを備え、
前記ＬＥＤモジュールは複数配置されている、照明具。
【請求項２】
前記端部に固定され、複数の前記ＬＥＤモジュールを着脱可能に固定する基台を備え、
前記ＬＥＤモジュールは、前記端部から一方向に並んで配置されている、請求項１記載の照明具。
【請求項３】
前記ＬＥＤモジュールは、
複数の前記ＬＥＤが配列され、外部用電極を有するシート状のＬＥＤシートと、
前記ＬＥＤシートの前記ＬＥＤが配置されている側を覆う上カバーと、
前記ＬＥＤシートの前記上カバーの反対側を覆う下カバーと、
前記上カバーの端部分又は前記下カバーの端部分に設けられた、前記ＬＥＤシートの外部用電極と接続される電極部とを有し、
前記ＬＥＤモジュールの前記電極部は、その隣の前記ＬＥＤモジュールの前記電極部と電気的に接続可能となっている、請求項１記載の照明具。
【請求項４】
前記端部に最も近い前記ＬＥＤモジュールの前記電極部は、前記端部の端部電極に接続されている、請求項３記載の照明具。
【請求項５】
前記基台には、前記端部からの電力を複数の前記ＬＥＤモジュールに供給する電力供給部が設けられており、
複数の前記ＬＥＤモジュールの各々には、前記電力供給部からの電力が供給される電極が設けられている、請求項２記載の照明具。
【請求項６】
人感知センサ、温度センサ、湿度センサ、及び照度センサの少なくとも１つのセンサを有するセンサモジュールを備え、
前記センサモジュールは、前記基台に着脱可能である、請求項２記載の照明具。
【発明の詳細な説明】
【技術分野】
【０００１】
本発明は、ＬＥＤを用いた照明具に関する。
【背景技術】
【０００２】
従来、屋内の照明具としては、蛍光灯が用いられていた。蛍光灯は、放電によって発生する紫外線を蛍光体に当てることによって可視光線に変換し、照明が行われる。
【０００３】
一方、近年、省エネルギー化の観点から従来の蛍光灯に代えて、ＬＥＤ（Light Emitting Diode）を用いた蛍光灯型ＬＥＤ灯の開発が進められている（例えば、特許文献１参照。）。
【０００４】
この特許文献１に記載の蛍光灯型ＬＥＤ灯は、従来の蛍光灯照明装置が取り付けられていた箇所に、取り付けることが可能な構成となっている。
【先行技術文献】
【特許文献】
【０００５】
特開２０１０−１９２２４２号公報
【発明の概要】
【発明が解決しようとする課題】
【０００６】
しかしながら、ＬＥＤの個体差等によって、部分的にＬＥＤの色温度が異なっている場合があり、そのような場合、ＬＥＤは基板にはんだ付けされているため、蛍光灯型ＬＥＤ灯自体を交換することになっていた。
【０００７】
すなわち、色温度の異なっているＬＥＤとともに、他のＬＥＤも全て交換することとなり、コストがかかっていた。
【０００８】
本発明は、上記従来の照明具の課題を考慮し、よりコストを抑えることが可能な照明具を提供することを目的とする。
【課題を解決するための手段】
【０００９】
上記目的を達成するために、第１の本発明は、
外部からの電力が供給される端部と、
複数電気的に接続して配列されたＬＥＤを有し、前記端部から電力が供給されるＬＥＤモジュールを備え、
前記ＬＥＤモジュールは複数配置されている、照明具である。
【００１０】
第２の本発明は、
前記端部に固定され、複数の前記ＬＥＤモジュールを着脱可能に固定する基台を備え、
前記ＬＥＤモジュールは、前記端部から一方向に並んで配置されている、第１の本発明の照明具である。
【００１１】
第３の本発明は、
前記ＬＥＤモジュールは、
複数の前記ＬＥＤが配列され、外部用電極を有するシート状のＬＥＤシートと、
前記ＬＥＤシートの前記ＬＥＤが配置されている側を覆う上カバーと、
前記ＬＥＤシートの前記上カバーの反対側を覆う下カバーと、
前記上カバーの端部分又は前記下カバーの端部分に設けられた、前記ＬＥＤシートの外部用電極と接続される電極部とを有し、
前記ＬＥＤモジュールの前記電極部は、その隣の前記ＬＥＤモジュールの前記電極部と電気的に接続可能となっている、第１の本発明の照明具である。
【００１２】
第４の本発明は、
前記端部に最も近い前記ＬＥＤモジュールの前記電極部は、前記端部の端部電極に接続されている、第３の本発明の照明具である。
【００１３】
第５の本発明は、
前記基台には、前記端部からの電力を複数の前記ＬＥＤモジュールに供給する電力供給部が設けられており、
複数の前記ＬＥＤモジュールの各々には、前記電力供給部からの電力が供給される電極が設けられている、第２の本発明の照明具である。
【００１４】
第６の本発明は、
人感知センサ、温度センサ、湿度センサ、及び照度センサの少なくとも１つのセンサを有するセンサモジュールを備え、
前記センサモジュールは、前記基台に着脱可能である、第２の本発明の照明具である。
【発明の効果】
【００１５】
本発明によれば、よりコストがかからない照明具を提供することが出来る。
【図面の簡単な説明】
【００１６】
【図１】本発明にかかる実施の形態１における照明具を下方から視た斜視構成図
【図２】本発明にかかる実施の形態１における照明具の側面構成図
【図３】本発明にかかる実施の形態１における照明具の基台の斜視構成図
【図４】（ａ）本発明にかかる実施の形態１における照明具の端部をピン側から視た斜視構成図、（ｂ）本発明にかかる実施の形態１における照明具の端部をピンと反対側から視た斜視構成図
【図５】（ａ）本発明にかかる実施の形態１における照明具の端部をピン側から視た斜視構成図、（ｂ）本発明にかかる実施の形態１における照明具の端部をピンと反対側から視た斜視構成図
【図６】（ａ）本発明にかかる実施の形態１における照明具のＬＥＤモジュールの斜視構成図、（ｂ）本発明にかかる実施の形態１における照明具のＬＥＤモジュールの分解斜視構成図
【図７】本発明にかかる実施の形態１における照明具のＬＥＤシートの平面構成図
【図８】本発明にかかる実施の形態１における照明具の上カバーの正断面構成図
【図９】本発明にかかる実施の形態１における照明具のセンサモジュールの斜視構成図
【図１０】（ａ）、（ｂ）本発明にかかる実施の形態１において基台に端部を取り付ける動作を説明するための側面構成図
【図１１】本発明にかかる実施の形態１において基台に端部を取り付ける動作を説明するための正面構成図
【図１２】（ａ）、（ｂ）本発明にかかる実施の形態１において基台にＬＥＤモジュールを取り付ける動作を説明するための側面構成図
【図１３（ａ）】本発明にかかる実施の形態１において照明具を組み立てる動作を説明するための正面構成図
【図１３（ｂ）】本発明にかかる実施の形態１において照明具を組み立てる動作を説明するための正面構成図
【図１３（ｃ）】本発明にかかる実施の形態１において照明具を組み立てる動作を説明するための正面構成図
【図１３（ｄ）】本発明にかかる実施の形態１において照明具を組み立てる動作を説明するための正面構成図
【図１３（ｅ）】本発明にかかる実施の形態１において照明具を組み立てる動作を説明するための正面構成図
【図１３（ｆ）】本発明にかかる実施の形態１において照明具を組み立てる動作を説明するための正面構成図
【図１４】（ａ）、（ｂ）本発明にかかる実施の形態１における照明具のＬＥＤモジュール同士の接続を説明するための正断面構成図
【図１５】本発明にかかる実施の形態１において基台から端部を取り外す動作を説明するための側面構成図
【図１６】（ａ）本発明にかかる実施の形態１におけるＬＥＤシートの変形例を示す平面構成図、（ｂ）本発明にかかる実施の形態１におけるＬＥＤシートの変形例を示す側面構成図
【図１７】本発明にかかる実施の形態１における照明具の変形例を示す正面構成図
【図１８】本発明にかかる実施の形態１の照明具の変形例におけるセンサモジュールの斜視構成図
【図１９】本発明にかかる実施の形態１の照明具の変形例における通信モジュールの斜視構成図
【図２０】本発明にかかる実施の形態２における照明具の斜視構成図
【図２１】本発明にかかる実施の形態２における照明具の基台の斜視構成図
【図２２】（ａ）本発明にかかる実施の形態２における照明具の端部をピン側から視た斜視構成図、（ｂ）本発明にかかる実施の形態２における照明具の端部をピンと反対側から視た斜視構成図
【図２３】（ａ）本発明にかかる実施の形態２における照明具のＬＥＤモジュールの斜視構成図、（ｂ）本発明にかかる実施の形態２における照明具のＬＥＤモジュールの分解斜視構成図
【図２４】本発明にかかる実施の形態２における照明具のセンサモジュールの斜視構成図
【図２５】（ａ）本発明にかかる実施の形態２における照明具の端部をピン側から視た斜視構成図、（ｂ）本発明にかかる実施の形態２における照明具の端部をピンと反対側から視た斜視構成図
【図２６】本発明にかかる実施の形態２の変形例の照明具の基台の側面構成図
【発明を実施するための形態】
【００１７】
次に、本発明にかかる実施の形態について図面を参照しながら説明する。
【００１８】
（実施の形態１）
以下、本発明にかかる実施の形態１について説明する。
【００１９】
図１は、本発明にかかる実施の形態１における照明具を下方から視た斜視構成図である。又、図２は、本発明にかかる実施の形態１における照明具の側面構成図である。尚、端部３から端部２に向かう方向を矢印Ｓとし、以下の図でも同様である。
【００２０】
図１及び図２に示すように、本実施の形態１の照明具は、一方向に配列された複数のモジュール群１と、外部からの供給される交流電流を直流電流に変換するＡＣ／ＤＣコンバーターを有する端部２と、端部３と、これらモジュール群１、端部２、端部３を保持する基台４とを備えている。
【００２１】
この端部２には、２つのピン２１が設けられており、端部３には２つのピン３１が設けられている。これらのピン２１、３１により、照明具は、例えば天井に設けられている従来の蛍光灯が配置されていたソケットに取り付けられる。又、モジュール群１は、端部２から端部３に向かって一方向に並んだ複数のＬＥＤモジュール５と、センサモジュール６を有している。詳しくは後述するが、それぞれのＬＥＤモジュール５内には、複数のＬＥＤが設けられている。またセンサモジュール６としては、人感知センサ、温度センサ、湿度センサ、及び照度センサ等が挙げられ、センサモジュール６内には、センサの検出結果を無線等によって出力する通信機能が設けられている。また、この検出結果を受けて電力を制御する制御部８が設けられている。
【００２２】
次に、基台４の構成について説明する。
【００２３】
図３は、基台４の斜視構成図である。基台４は、一方向に長い部材であり、その長手方向と垂直な断面形状は、Ｕ字形状の両端から鍔４１が形成されている。そして、それぞれの鍔４１には、長手方向に沿って、長孔４２が形成されている。
【００２４】
次に、端部２の構成について説明する。
【００２５】
図４（ａ）はピン２１側から視た端部２の斜視構成図であり、図４（ｂ）はピン２１の反対側から視た端部２の斜視構成図である。図４（ａ）、（ｂ）に示すように、端部２は、半円柱形状部２２と、その側面の平面部分に配置された台座２３とを有している。この台座２３の４隅近傍には、図中下方に向かって棒状の取付部２３１がそれぞれ形成されている。この取付部２３１の先端２３２は矢印形状に形成されている。この矢印形状は、片羽矢印であって、内側に向う矢印の羽根部分が形成されておらず、外側に向かってのみ矢印の羽根部分である突起２３２ａが形成されている。図２（ｂ）に示すように、取付部２３１が上記基台４の長孔４２に差し込まれることによって突起２３２ａが長孔４２の縁に係止され、端部２が基台４に保持される。
【００２６】
又、図４（ｂ）に示すように、端部２のピン２１と反対側には、２つの穴部２４が形成されている。この穴部２４には、ＬＥＤモジュール５の後述する接続部５２３が挿入される。上記ピン２１の一方に外部から交流電流が印加されると、内部に配置されているＡＣ／ＤＣコンバーターによって直流電流に変換され、その直流電流は穴部２４に挿入される接続部５２３へと供給される。
【００２７】
次に、端部３の構成について説明する。
【００２８】
図５（ａ）はピン３１側から視た端部３の斜視構成図であり、図５（ｂ）はピン３１の反対側から視た端部３の斜視構成図である。この端部３には、端部２と異なり、電気的な構成は設けられていない。端部３も端部２と同様に、半円柱形状部３２と、その側面の平面部分に配置された台座３３とを有している。この台座３３には、上記取付部２３１と同様の取付部３３１が形成されている。この取付部３３１の先端３３２は矢印形状に形成されている。この矢印形状は、片羽矢印であって、内側に向う矢印の羽根部分が形成されておらず、外側に向かってのみ矢印の羽根部分である突起３３２ａが形成されている。端部２と同様に、取付部３３１が、上記基台４の長孔４２に差し込まれることによって、端部３は基台４に保持される。又、半円柱形状部３２には、上記半円柱形状部２２と異なり穴部２４が形成されていない。
【００２９】
次に、ＬＥＤモジュール５の構成について説明する。
【００３０】
図６（ａ）は、本実施の形態１のＬＥＤモジュール５の斜視構成図である。図６（ｂ）は、本実施の形態１のＬＥＤモジュール５の分解斜視構成図である。
【００３１】
図６（ａ）、（ｂ）に示すように、本実施の形態１のＬＥＤモジュール５は、複数のＬＥＤが配列されたＬＥＤシート５１と、ＬＥＤシート５１を上方から覆う上カバー５２と、ＬＥＤシート５１を下方から覆う下カバー５３とを有している。
【００３２】
図７は、ＬＥＤシート５１の平面構成図である。図７に示すように、ＬＥＤシート５１は、複数のチップＬＥＤ５１１が長手方向に沿って２列配列されている。図中上側の複数のチップＬＥＤ５１１の配列のグループをチップＬＥＤグループ５１２とし、図中下側の複数のチップＬＥＤ５１１の配列のグループをチップＬＥＤグループ５１３とする。図中、チップＬＥＤグループ５１２の上側の両端には、チップＬＥＤグループ５１２に電力を供給するための電極５１４ａ、５１４ｂが設けられている。又、図中下側の複数のチップＬＥＤグループ５１３の下側の両端には、チップＬＥＤグループ５１３に電力を供給するための電極５１５ａ、５１５ｂが設けられている。電極５１４ａ、５１４ｂ、５１５ａ、５１５ｂのそれぞれの隣には、ネジ穴５１６が設けられている。
【００３３】
ＬＥＤシート５１の、チップＬＥＤ５１１が配列されている側を表面５１ａとし、反対側を裏面５１ｂとすると、図６（ｂ）に示すように、上カバー５２は、ＬＥＤシート５１の表面５１ａ側を覆うように設けられている。すなわち、上カバー５２を通して光が照射されることになる。
【００３４】
次に、上カバー５２の構成について説明する。
【００３５】
図６（ｂ）に示すように、上カバー５２は、長手方向と垂直な断面形状がＵの字形状の透明な部材である。上カバー５２の夫々の４隅の下端には、下方に向かって棒状の取付部５２１が形成されている。この取付部５２１の先端５２２は矢印形状に形成されている。この矢印形状は、片羽矢印であって、内側に向かう矢印の羽根部分が形成されておらず、外側に向かってのみ矢印の羽根部分である突起５２２ａが形成されている。端部３と同様に、この取付部５２１が、上記基台４の長孔４２に差し込まれて、上カバー５２は基台４に取り付けられる。
【００３６】
上カバー５２の一方の端面（Ｓ方向側）の両下端には、円柱状の接続部５２３が端面から突出するように形成されており、他方の端面の両下端には、穴部５２６が形成されている。
【００３７】
図８は、上カバー５２の断面構成図である。尚、図８は、図６に示す円柱状の接続部５２３の中心軸に沿った断面構成図である。接続部５２３は金属製であり、その先端が球状に形成されている。又、接続部５２３のＬＥＤシート５１側には、端まで貫通した孔５２５１が形成されており、その孔には、導通部材５２４が設けられている。この導通部材５２４は、バネ部材５２４１と、バネ部材５２４１の接続部５２３側の端に連結されている当接部５２４２と、その反対側の端に連結されている当接部５２４３とから構成されており、全て金属製である。そして、導通部材５２４は、バネ部材５２４１の中央でピン５２５によって孔５２５１に固定されている。一方、上カバー５２の接続部５２３の端面と反対側の端面に形成されている２つの穴部５２６は、接続部５２３に対応する形状となっている。そして、穴部５２６のＬＥＤシート５１側には、端まで貫通した孔５２８１が形成されている。この孔５２８１には、導通部材５２７が設けられている。この導通部材５２７は、バネ部材５２７１と、バネ部材５２７１の穴部５２６側の端に連結されている当接部５２７２と、その反対側の端に連結されている当接部５２７３とから構成されており、全て金属製である。そして、導通部材５２７は、バネ部材５２７１の中央でピン５２８によって孔５２８１に固定されている。又、図８に示すように、この導通部材５２７の上側の当接部５２７２は、穴部５２６の開口側に形成された傾斜５２７２ａを有している。そして、導通部材５２４、５２７の隣には、ネジ穴５２９が形成されている（図６（ｂ）参照）。
【００３８】
次に、下カバー５３の構成について説明する。
【００３９】
図６（ａ）、（ｂ）に示すように、下カバー５３は、ＬＥＤシート５１と同じ大きさの平面を有しており、ＬＥＤシート５１を上カバー５２に固定するためのネジ穴５３１が形成されている。又、ネジ５４が、ＬＥＤシート５１のネジ穴５１６、及び下カバー５２のネジ穴５３１を介して、上カバー５２のネジ穴５２９に挿入され、上カバー５２、ＬＥＤシート５１、及び下カバー５３は固定される。
【００４０】
この固定により、図８の上カバー５２の下側に図示しているＬＥＤシート５１の電極５１４ａに当接部５２４３が押圧され、電極５１４ｂに当接部５２７３が押圧され、電気的に接続される。尚、図８中奥側の当接部５２４３によって電極５１５ａが押圧され、図８中奥側の当接部５２７３によって電極５１５ｂが押圧される。
【００４１】
次に、センサモジュール６について説明する。
【００４２】
図９は、センサモジュール６の斜視構成図である。センサモジュール６は、図６（ａ）に示すＬＥＤシート５１に代えて、人感知センサ、温度センサ、湿度センサ、及び照度センサ等が設けられたセンサシート６１が設けられている。又、センサシート６１を上から覆う上カバー６２と、下から覆う下カバー６３が設けられており、これら上カバー６２の基本的な構成は、上記上カバー５２と同じであるが、上カバー５２に設けられている穴部５２６は設けられていない。また、上カバー６２には、上カバー５２の接続部５２３及び取付部５２１と同様に、接続部６２３及び取付部６２１が設けられている。
【００４３】
このセンサモジュール６は、Ｗｉ−Ｆｉなどの無線による通信機能を有しており、センサの検知結果を、無線を通じて制御部８に送信することが出来る。
【００４４】
尚、本発明の端部の一例は、本実施の形態の端部２に相当し、本発明のＬＥＤモジュールの一例は、本実施の形態のＬＥＤモジュール５に相当する。又、本発明の外部用電極の一例は、本実施の形態の電極５１４ａ、５１４ｂ、５１５ａ、５１５ｂに相当し、本発明の電極部の一例は、本実施の形態の接続部５２３、導通部材５２４、５２７に相当する。又、本発明の端部電極の一例は、本実施の形態の穴部２４に相当する。
【００４５】
次に、本実施の形態の照明具を組み立てる際の動作について説明する。
【００４６】
図１０（ａ）、（ｂ）は、基台４に端部２を取り付ける動作を説明するための側面構成図である。図１０（ａ）、（ｂ）に示すように、基台４の長孔４２に、端部３の４つの取付部２３１が差し込まれる。このとき、取付部２３１の先端２３２の突起２３２ａが長孔４２の縁に当接するが、突起２３２ａの上側は斜めに形成されているため、取付部２３１が矢印Ａ方向に湾曲する。このようにして湾曲しながら取付部２３１が長孔４２に差し込まれ、取付部２３１が弾性力により湾曲から復帰すると、取付部２３１の突起２３２ａの下側が長孔４２の縁に係止されるため、端部２は基台４に保持される。
【００４７】
図１１は、端部２を基台４に取り付けた状態を示す正面構成図である。図１１に示すように端部２は、基台４の端に取り付けられる。
【００４８】
次に、ＬＥＤモジュール５が基台４に取り付けられる。図１２（ａ）、（ｂ）は、基台４に端部２を取り付ける動作を説明するための側面構成図である。図１２（ａ）、（ｂ）に示すように、基台４の長孔４２に、ＬＥＤモジュール５の４つの取付部５２１が差し込まれる。
【００４９】
図１３（ａ）〜（ｆ）は、照明具を組み立てる際の動作について説明するための正面構成図である。図１３（ａ）に示すように、ＬＥＤモジュール５の取付部５２１が、基台４の長孔４２に差し込まれた後、ＬＥＤモジュール５は端部２の方向にスライドされる（矢印Ｓ参照。）。このようにスライドして、ＬＥＤモジュール５の接続部５２３が、端部２の穴部２４に挿入される。この挿入により、ピン２１とＬＥＤモジュール５は電気的に接続されることになる。
【００５０】
続いて、１番目と同様に、２番目のＬＥＤモジュール５が、取付部５２１が長孔４２に差し込まれたのち、１番目のＬＥＤモジュール５の方向にスライドされる。図１４（ａ）は、ＬＥＤモジュール５同士を接続する際の断面構成図である。図１４（ａ）に示すように、基台４に取り付けられている１番目のＬＥＤモジュール５に向いて、次に取り付けられた２番目のＬＥＤモジュール５をスライド（矢印Ｓ方向）させると、２番目のＬＥＤモジュール５の接続部５２３の先端部分が、１番目のＬＥＤモジュール５の当接部５２７２の傾斜５２７２ａに当接する。すると、図１４（ｂ）に示すように、接続部５２３の先端が球状であるため、当接部５２７２は、バネ部材５２７１の弾性力に対抗して上方に退避し、１番目のＬＥＤモジュール５の接続部５２３と、２番目のＬＥＤモジュール５の当接部５２７２が接触された状態となる。このようにして、隣り合うモジュールの接続部５２３と当接部５２７２が電気的に接続されるため、端部２のピン２１と２番目に基台４に取り付けられたＬＥＤモジュール５が電気的に接続されることになる。このように、２番目のＬＥＤモジュール５が基台４に取り付けられた状態が、図１３（ｂ）に示されている。
【００５１】
続いて、同様にＬＥＤモジュール５が基台４に取り付けられ、合計７個のＬＥＤモジュール５が取り付けられる。この状態が図１３（ｃ）に示されている。
【００５２】
次に、図１３（ｄ）に示すように、センサモジュール６が基台４に取り付けられ、スライドされて、７番目のＬＥＤモジュール５の端に取り付けられる。この際、センサモジュール６の接続部６２３が、７番目のＬＥＤモジュール５の穴部５２６に挿入されて、互いに電気的に接続される。
【００５３】
最後に、端部３が基台４に取り付けられる（図１３（ｅ）参照）。ここで、端部３はセンサモジュール６と電気的に接続される必要がないため、スライドさせる必要はなく、基台４に嵌め込むだけでよい。
【００５４】
このように基台４に端部２、ＬＥＤモジュール５、センサモジュール６、及び端部３を取り付けることによって組み立てられた照明具（図１３（ｆ）参照）を、従来の蛍光灯が配置されていたソケットに挿入することによって、ＬＥＤモジュール５内のチップＬＥＤ５１１に電気が供給されて、チップＬＥＤ５１１が点灯する。
【００５５】
電気の流れについて説明すると、一方のピン２１に印加された交流電流は、端部２内において直流電流に変換されて、端部２から１番目のＬＥＤモジュール５の電極５１４ａへと供給される。そして、供給された電力は、チップＬＥＤグループ５１２を経由して電極５１４ｂを介し、２番目のＬＥＤモジュール５の電極５１４ａへと供給される。このようにして、一方のピン２１から７番目のＬＥＤモジュール５の電極５１４ｂまで電気が流れる。そして、７番目のＬＥＤモジュール５の電極５１４ｂからセンサモジュール６へと電力が供給され、センサモジュール６内から、７番目のＬＥＤモジュール５の電極５１５ｂに電力が供給され、チップＬＥＤグループ５１３を経由して電極５１５ａを介して６番目のＬＥＤモジュール５に電力が供給される。そして、順に１番目の電極５１５ａまで電力が供給され、他方のピン２１へと電気が流れる。
【００５６】
次に、ＬＥＤモジュール５を取り替える場合について説明する。
【００５７】
例えば、端部２から７番目のＬＥＤモジュール５を取り替える場合には、始めに端部３を基台４から取り外す。図１５は、基台４から端部３を取り外す動作を説明するための側面構成図である。図１５に示すように、端部３の取付部３３１の先端３３２を矢印Ｄに示すように内側に湾曲させて、突起３３２ａによる係止を解除させ、下方に引き抜くことで、端部３が基台４から取り外される。このようにして、端部３を基台４から取り外した後、センサモジュール６をスライドさせて、接続部６２３を穴部５２６から引き抜くことにより、センサモジュール６と７番目のＬＥＤモジュール５との接続を解除する。そして、７番目のＬＥＤモジュール５をスライドさせることによって、６番目のＬＥＤモジュール５との接続を解除した後、図１５と同様に、取付部５２１を内側に湾曲させながら、長孔４２から引き抜くことで、基台４から７番目のＬＥＤモジュール５を取り外すことが出来る。
【００５８】
このようにして、任意のＬＥＤモジュール５を取り外すことが可能であるため、一部のチップＬＥＤ５１１の色温度が他のチップＬＥＤ５１１の色温度と異なっている場合には、そのチップＬＥＤ５１１が配置されているＬＥＤモジュール５を取り替え、他のＬＥＤモジュール５はそのまま使用することが出来るため、無駄を省き、よりコストをおさえることが出来る。
【００５９】
又、本実施の形態の照明具には、センサの検知結果を無線などにより送信できる機能が設けられているため、制御部８にセンサの検知結果を送信することにより、センサの検知結果を考慮した照明を行うことが出来る。例えば、人体検知センサが設けられている場合には、人がいないことをセンサが検知した場合には、制御部８は、該当するセンサを有する照明具を消灯するという制御を行うことが出来る。又、照度センサが設けられている場合には、外光の影響により室内が明るいと、電流を制御しＬＥＤの照度を落とすという制御を行うことが出来る。又、温度センサや湿度センサが設けられている場合には、室内の空調設備に送信し、空調を制御するようにしてもよい。なお、このような場合、制御部８の代わりに、空調を制御する制御部が設けられる。
【００６０】
又、本実施の形態では、チップＬＥＤ５１１から照射された光は、透明な上カバー５２を通過する際に周囲に散乱しているものの、下方に向けて照度が強くなる傾向があるが、例えば、図１６（ａ）、（ｂ）に示すようなＬＥＤシート５１´を用いることで照度が強くなる方向を変えることが出来る。図１６（ａ）は、ＬＥＤシート５１´の平面構成図であり、図１６（ｂ）は、ＬＥＤシート５１´の側面構成図である。図１６（ａ）、（ｂ）に示すように、ＬＥＤシート５１´は、中央部分から両端に向かって傾斜が形成されており、チップＬＥＤグループ５１２、チップＬＥＤグループ５１３が傾斜部分に配置されている。
このような構成のＬＥＤシート５１´では、両斜め下方に向けて照度が強くなる。このように、ＬＥＤモジュール５を交換するだけで、任意の角度に対する強度を強くすることが出来る。
【００６１】
また、端部２の交換も容易に出来るため、ＡＣ／ＤＣコンバーターや回路等が故障した場合でも、ＬＥＤモジュール５、センサモジュール６、及び端部３はそのまま用いることが出来る。
【００６２】
尚、本実施の形態１では、センサモジュール６を備えていたが、備えていなくても良く、このような場合、制御部８は設けられていなくても良い。センサモジュール６を用いない場合、センサモジュール６の代わりにＬＥＤモジュール５を配置してもよいが、隙間を埋めるためのダミーモジュールを配置してもよい。このダミーモジュールは隙間を埋めるためだけであるため、チップＬＥＤなどを設けなくても良く、隣のモジュールと接続するための接続部や穴部は設けられていない。
【００６３】
又、本実施の形態１では、センサモジュール６内に通信機能が設けられていたが、センサモジュール６内には通信機能が設けられておらず、通信モジュールが別に設けられていても良い。図１７は、このような照明具の正面構成図である。図１７に示すように、端部２からＬＥＤモジュール５が複数個配列された後に、センサモジュール６´が配置され、更に通信モジュール７が配置されている。図１８は、センサモジュール６´の斜視構成図である。このセンサモジュール６´では、センサモジュール６と異なり、接続部６２３の反対側の端面に２つの穴部６２６が形成されており、更に、センサシート６１の穴部６２６側の端面には、通信用雌型コネクタ６２８が設けられている。又、図１９は、通信モジュール７の斜視構成図である。図１９に示すように、通信モジュール７は、通信機能が配置された基板７１と、基板７１を上から覆う上カバー７２と、基板７１を下から覆う下カバー７３が設けられている。上カバー７２は、上記上カバー６２と同様の構成であり、接続部７２３及び取付部７２１を備えているが、穴部６２６は設けられていない。更に、上カバー７２の接続部７２３側の基板７１の端面には、センサモジュール６´のセンサからの信号を受信するための通信用雄型コネクタ７２８が設けられている。センサモジュール６´から通信モジュール７への電力供給は、接続部７２３を介して行われ、出力信号は通信用雌型コネクタ６２８及び通信用雄型コネクタ７２８を用いて行われる。このように、センサと通信機能を別々のモジュールに配置することによって、一方が故障した際に、他方はそのまま用いることが出来るため、無駄を省きコスト削減に有効である。更に、必要なセンサを有するセンサモジュールに適宜取り替えることも可能となる。
【００６４】
又、本実施の形態１では、隣のＬＥＤモジュール５と電気的に接続するための接続部５２３及び穴部５２６は上カバー５２に設けられているが、下カバー５３に設けられていても良い。
【００６５】
又、本実施の形態では、端部２、３が基台４に着脱可能に構成されているが、端部２、３は基台４に固定されていても良い。その場合、図１３（ａ）〜（ｆ）で説明したようにＬＥＤモジュール５、センサモジュール６をスライドさせるための幅が必要となるため、最後にダミーモジュールを取り付ける必要がある。
【００６６】
又、本実施の形態では、センサモジュール６を複数のＬＥＤモジュール５の端に設けられているが、ＬＥＤモジュール５の間に設けられていても良い。その場合、センサモジュールには、その端部３側に配置されるＬＥＤモジュール５に電気を供給するための電極部を設ける必要がある。そして、最も端部３側に配置されるＬＥＤモジュール５には電極５１４ｂと電極５１５ｂを接続する回路が形成されている。
【００６７】
（実施の形態２）
次に、本発明にかかる実施の形態２における照明具について説明する。本実施の形態２の照明具は、実施の形態１と基本的な構成は同じであるが、電気の流れる経路が異なっている。そのため、本相違点を中心に説明する。尚、実施の形態１と同様の構成については同一の符号が付されている。
【００６８】
図２０は、本発明にかかる実施の形態２の照明具の斜視構成図である。図２０に示す本実施の形態２の照明具では、一方向に配列された複数のモジュール群１０と、外部からの供給される交流電流を直流電流に変換するＡＣ／ＤＣコンバーターを有する端部２０と、無線通信などを行う通信部を有する端部３０と、これらモジュール群１０、端部２０、端部３０を保持する基台４０とを備えている。
【００６９】
次に、基台４０の構成について説明する。
【００７０】
図２１は、本実施の形態２の基台４０の斜視構成図である。本実施の形態２の基台４０は、実施の形態１の基台４と異なり、Ｕ字状の底部の両端に電力線ブスバー４３、４５が設けられており、電力線ブスバー４３と電力線ブスバー４５の間には、通信用ブスバー４４が設けられている。この電力線ブスバー４３、４５が、本発明の電力供給部の一例に相当する。
【００７１】
次に、 端部２０の構成について説明する。
【００７２】
図２２（ａ）は、本実施の形態２の端部２０をピン２１側から視た斜視構成図である。図２２（ｂ）は、本実施の形態２の端部２０をピン２１の反対側から視た斜視構成図である。図２２（ａ）、（ｂ）に示すように、本実施の形態２の端部２０は、半円柱形状部１０２２と、その側面の平面部分に配置された台座１０２３とを有している。本実施の形態２の半円柱形状部１０２２は、実施の形態１の半円柱形状部２２と異なり、実施の形態１の穴部２４が形成されていない。又、台座１０２３は、実施の形態１の台座２３と異なり、台座１０２３の下側に正面視Ｚ字形状の板バネ電極２５、２６が設けられている。この２つの板バネ電極２５、２６のそれぞれは、それぞれのピン２１と電気的に接続されている。そして、端部２０を基台４に取り付けると、一方の板バネ電極２５が電力線ブスバー４３に接触し、他方の板バネ電極２６が電力線ブスバー４５に接触する。
【００７３】
次に、ＬＥＤモジュール５０の構成について説明する。
【００７４】
図２３（ａ）は、本実施の形態２のＬＥＤモジュール５０の斜視構成図である。図２３（ｂ）は、本実施の形態２のＬＥＤモジュール５０の分解斜視構成図である。図２３（ａ）、（ｂ）に示すように、本実施の形態２のＬＥＤモジュール５０の上カバー１０５２は、実施の形態１の上カバー５２と異なり、実施の形態１の接続部５２３、穴部５２６、及び導通部材５２４が設けられていない。また、ＬＥＤシート１０５１は、実施の形態１のＬＥＤシート５１の電極５１４ａ、５１４ｂ、５１５ａ、５１５ｂと異なり、裏面５１ｂ側に、電極５１４ａ´、５１４ｂ´及び電極５１５ａ´、５１５ｂ´が形成されている。又、下カバー１０５３は、下カバー５３と異なり、下側に板バネ電極５５ａ、５５ｂ及び板バネ電極５６ａ、５６ｂが設けられている。この板バネ電極５５ａと電極５１４ａ´が電気的に接続され、板バネ電極５５ｂと電極５１４ｂ´が電気的に接続され、板バネ電極５６ａと電極５１５ａ´が電気的に接続され、板バネ電極５６ｂと電極５１５ｂ´が電気的に接続されるように、下カバー１０５３には配線が形成されている。
【００７５】
このようなＬＥＤモジュール５０を基台４０に取り付けると、板バネ電極５５ａ、５５ｂが、電力線ブスバー４３に接触し、板バネ電極５６ａ、５６ｂが電力線ブスバー４５に接触する。尚、板バネ電極５５ａ、５５ｂ、５６ａ、５６ｂが、本発明の電力供給部からの電力が供給される電極の一例に相当する。
【００７６】
次に、センサモジュール６０の構成について説明する。
【００７７】
図２４は、本実施の形態２のセンサモジュール６０の斜視構成図である。図２４に示すように、本実施の形態２のセンサモジュール６０の上カバー１０６２は、実施の形態１の上カバー６２と異なり、実施の形態１の接続部６２３が設けられていない。又、本実施の形態２のセンサシート１０６１は、無線通信機能を有していない。そして、下カバー１０６３は、下カバー６３と異なり、下側に板バネ電極６５、６６が設けられている。この板バネ電極６５、６６はセンサへの電力供給を行うための電極である。又、センサの検知結果を出力する信号線用の板バネ電極６７が設けられている。
【００７８】
このようなセンサモジュール６０を基台４０に取り付けると、板バネ電極６５が電力線ブスバー４３に接触し、板バネ電極６６が電力線ブスバー４５に接触し、板バネ電極６６が、通信用ブスバー４４に接触する。
【００７９】
次に、端部３０の構成について説明する。
【００８０】
図２５は、本実施の形態２の端部３０の斜視構成図である。図２５に示す端部３０には、実施の形態１の端部３と異なり、無線等により通信を行う通信部が内蔵されている。そして、本実施の形態２の台座１０３３は、台座３３と異なり、その裏面に通信部に電力を供給するための板バネ電極３５、３６が設けられている。更に、センサモジュール６０から通信用ブスバー４４を介して送信されている出力結果を受信するための板バネ電極３７が設けられている。
【００８１】
このような端部３０を基台４０に取り付けると、板バネ電極３５が電力線ブスバー４３に接触し、板バネ電極３６が電力線ブスバー４５に接触し、板バネ電極３７が、通信用ブスバー４４に接触する。
【００８２】
本実施の形態２の照明具では、基台４０に電力線ブスバー４３、４５が設けられているため、実施の形態１のように端部３、ＬＥＤモジュール５、センサモジュール６等を接続部５２３、６２３によって電気的に接続する必要がなく、取付部２３１、３３１、５２１、６２１を基台４０の長孔４２に嵌め込むだけで、電気的な接続が行われる。
【００８３】
又、電力線ブスバー４３、４５及び通信用ブスバー４４が基台４０の全体に渡って設けられているため、センサモジュール６の配置を自由に設定することが出来る。すなわち、ＬＥＤモジュール５０の間にセンサモジュール６０を配置したとしても、端部３０との通信を行うことが出来る。
【００８４】
又、本実施の形態２では、センサがセンサモジュール６０に配置され、通信部分が端部３０に配置されているため、一方が故障した場合であっても他方をそのまま用いることが出来るため、無駄を省くことが出来る。
【００８５】
尚、本実施の形態の基台４０の構成でなくてもよく、例えば、図２６の側面構成図に示すような基台４０´の構成であってもよい。図２６に示す基台４０´では、両端に電力線ブスバー４３、４５が設けられており、真ん中にアース線４６が設けられている。図２６には図示していないが、通信用ブスバーが設けられていても良い。
【００８６】
又、上記実施の形態１、２では、チップＬＥＤ５１１を用いたが、ＬＥＤランプを用いてもよい。
【００８７】
又、上記実施の形態では、着脱を行い易いように取付部を長穴に差し込むことによって、基台４、４０に、端部２、３、２０、３０及びＬＥＤモジュール５、５０、センサモジュール６、６０及び通信モジュール７を保持していたが、着脱に手間がかかることになるが、ネジ止めなどによって基台に保持してもかまわない。尚、実施の形態１の構成では、モジュールの接続部を隣接する端部又はモジュールの穴部に差し込んでから基台にネジ止めする必要がある。
【００８８】
又、上記実施の形態の照明具は棒状であるが、円形状であってもよい。
【産業上の利用可能性】
【００８９】
本発明の照明具によれば、よりコストを抑えることが可能となる効果を有し、ＬＥＤを用いた照明具等として有用である。
【符号の説明】
【００９０】
１、１０  モジュール群
２、２０  端部
３、３０  端部
４、４０  基台
５、５０  ＬＥＤモジュール
６  センサモジュール
７  通信モジュール
８  制御部
２１  ピン
２２、３２、１０２２  半円柱形状部
２３、３３、１０２３、１０３３  台座
２４  穴部
２５、２６、３５、３６、３７、５５ａ、５５ｂ、５６ａ、５６ｂ、６５、６６、６７  板バネ電極
３１  ピン
４１  鍔
４２  長穴
４３、４５  電力線ブスバー
４４  通信用ブスバー
４６  アース線
５１、１０５１  ＬＥＤシート
５１ａ  表面
５１ｂ  裏面
５２、１０５２、１０６２  上カバー
５３、１０５３、１０６３  下カバー
５４  ネジ
６１、１０６１  センサシート
６２、７２  上カバー
６３、７３  下カバー
７１  基板
２３１、３３１、５２１、６２１、７２１  取付部
２３２、３３２、５２２  先端
２３２ａ、３３２ａ、５２２ａ  突起
５１２、５１３  チップＬＥＤグループ
５１４ａ、５１４ｂ、５１５ａ、５１５ｂ  電極
５１６  ネジ穴
５２３、６２３、７２３  接続部
５２４、５２７  導通部材
５２５、５２８  ピン
５２６、６２６  穴部
５２９  ネジ穴
６２８  通信用雌型コネクタ
７２８  通信用雄型コネクタ
５２４１  バネ部材
５２４２、５２４３、５２７２、５２７３  当接部
５２５１、５２８１  孔
５２７１  バネ部材
５２７２ａ  傾斜
【図１】
2012256510.tif 000003
【図２】
2012256510.tif 000004
【図３】
2012256510.tif 000005
【図４】
2012256510.tif 000006
【図５】
2012256510.tif 000007
【図６】
2012256510.tif 000008
【図７】
2012256510.tif 000009
【図８】
2012256510.tif 000010
【図９】
2012256510.tif 000011
【図１０】
2012256510.tif 000012
【図１１】
2012256510.tif 000013
【図１２】
2012256510.tif 000014
【図１３（ａ）】
2012256510.tif 000015
【図１３（ｂ）】
2012256510.tif 000016
【図１３（ｃ）】
2012256510.tif 000017
【図１３（ｄ）】
2012256510.tif 000018
【図１３（ｅ）】
2012256510.tif 000019
【図１３（ｆ）】
2012256510.tif 000020
【図１４】
2012256510.tif 000021
【図１５】
2012256510.tif 000022
【図１６】
2012256510.tif 000023
【図１７】
2012256510.tif 000024
【図１８】
2012256510.tif 000025
【図１９】
2012256510.tif 000026
【図２０】
2012256510.tif 000027
【図２１】
2012256510.tif 000028
【図２２】
2012256510.tif 000029
【図２３】
2012256510.tif 000030
【図２４】
2012256510.tif 000031
【図２５】
2012256510.tif 000032
【図２６】
2012256510.tif 000033